(57)【特許請求の範囲】
【請求項１】
遊技機全体を制御する主基板と、主基板からの指示に応じて遊技機の各部を制御する他の基板とを備える遊技機であって、
前記主基板と前記他の基板とを接続する信号線上に設置され、通信方向を前記主基板から前記他の基板の方向に規制する通信方向規制手段を備え、
前記他の基板は、主基板からの信号を受信する受信部に、
前記信号線のローレベルの状態を設定するための抵抗と、
該抵抗の後段に設置され、前記信号線の電圧に応じて電力増幅すると共に、出力側から入力された電流を放電可能なバッファと、
容量素子を含み、ノイズを低減して前記バッファの出力信号を後段の内部回路に伝達するフィルタと、
を含み、
前記主基板と前記他の基板とは、データの取り込みタイミングを指示するための割り込み信号線と、データを送信するためのデータ信号線とを含む複数の信号線によって接続され、
前記複数の信号線のうち、前記割り込み信号線に対応する前記他の基板の受信部のみに、前記抵抗と、前記バッファと、前記フィルタとを備えることを特徴とする遊技機。
【請求項２】
前記主基板と前記他の基板とは、前記割り込み信号線と、所定並列数の前記データ信号線とを含むパラレル信号線によって接続され、
該パラレル信号線のうち、前記割り込み信号線に対応する前記他の基板の受信部のみに、前記抵抗と、前記バッファと、前記フィルタとを備えることを特徴とする請求項１記載の遊技機。
【請求項３】
前記通信方向規制手段は、アノードを前記主基板側に接続され、カソードを前記他の基板側に接続されたダイオードを備えることを特徴とする請求項１または２記載の遊技機。
【発明の詳細な説明】
【技術分野】
【０００１】
本発明は、遊技機全体を制御する主基板と、主基板からの指示に応じて遊技機の各部を制御する他の基板とを備える遊技機に関する。
【背景技術】
【０００２】
従来、パチンコ機等の遊技機において、遊技内容に関する制御等、遊技機全体の制御を行う主基板と、主基板から送信された指示信号に応じて、遊技機に備えられた図柄表示装置やランプ等を直接制御するサブ基板等の他の基板とを備えたものが知られている。
このような遊技機においては、各種制御を行うための指示信号が、主基板から他の基板へと一方向に出力されることにより、遊技機の制御が行われる。
また、サブ基板等の他の基板の入力端には、受信信号に含まれるノイズが後段の回路に伝達することを防止するためにフィルタが備えられている。
【０００３】
図１０は、主基板とサブ基板とを接続する通信回路の一部を示す図である。
なお、図１０に示すように、各基板間を接続する信号線は、コネクタによってそれぞれの基板に接続されている。以下、図１１においても同様である。
図１０において、フィルタ２０１は、受信信号に含まれるノイズを吸収し、誤動作を防止すると共に、主基板から送信された信号を適切な信号状態で後段の回路に出力可能な時定数に設定されている。なお、図１０において、抵抗２０２は、信号線のローレベル（Ｌレベル）を設定するために設けられ、一端は接地されている。
【０００４】
ところで、パチンコ機等の遊技機の主基板からサブ基板の方向にのみ信号を送信する信号線に対して、サブ基板から主基板へと信号を送信可能なように改造を行い、規定外の大当たりを発生させるといった不正行為が行われる場合がある。
このような不正行為を防止するためには、サブ基板から主基板へと信号が送信されるのを阻止することが有効である。
そこで、従来、主基板からサブ基板にのみ信号を送信可能なように通信方向を規制する部品をサブ基板側に組み込み、サブ基板から主基板へは信号を送信不可能な構成とした遊技機が考案されている（特許文献１参照）。
【０００５】
特許文献１に記載された遊技機によれば、基板が改造され、不正行為が行われる事態を防止することができる。
ところが、パチンコ機等の遊技機においては、不正改造に対する適切な措置が講じられているか否かを検査する場合がある。そして、サブ基板側に通信方向を規制する部品を組み込んだ場合、不正改造に対する適切な措置として通信方向を規制する部品が組み込まれていることを確認することが困難である。
【０００６】
そこで、図１１に示すように、遊技機の主基板とサブ基板との間に中継基板を設け、この中継基板にダイオード等の通信方向を規制する部品を備えることにより、中継基板を確認すれば容易に遊技機を検査できるようにする方法が考えられる。
【特許文献１】特許第２８９６３７０号公報
【発明の開示】
【発明が解決しようとする課題】
【０００７】
しかしながら、遊技機の主基板とサブ基板との間に中継基板を設け、その中継基板に通信方向を規制する部品を備えた場合、フィルタ２０１に含まれる容量に蓄積された電荷は、通信方向を規制する部品の影響により抵抗２０２を介してのみ放電されることとなる。そのため、パルス間隔が比較的短い主基板からの信号を適切な信号状態で後段の回路に出力しようとすると、上記放電を早めるために抵抗２０２の抵抗値をより小さい値に変更しなければならない。
ところが、抵抗２０２の抵抗値をより小さい値とすると、主基板の出力回路に流れる負荷電流が増大するという問題があり、この場合、主基板の出力回路は過大な発熱を生ずるといった不具合を生ずることとなる。
【０００８】
また、主基板から出力する信号のパルス間隔をより長くすることにより、抵抗２０２の抵抗値を維持することは可能であるものの、この場合、主基板とサブ基板との間における通信速度が低下することとなり、このような構成とすることも困難である。
このような問題は、サブ基板を始め、主基板と接続される各種基板において共通する問題である。
本発明の課題は、主基板から他の基板への信号の送信に影響を与えることなく、不正改造に関する遊技機の検査を容易とすることである。
【課題を解決するための手段】
【０００９】
以上の課題を解決するため、本発明は、
遊技機全体を制御する主基板（例えば、図２の主基板１００Ａ）と、主基板からの指示に応じて遊技機の各部を制御する他の基板（例えば、図２のサブ基板１００Ｂあるいは賞球制御基板１００Ｄ）とを備える遊技機であって、前記主基板と前記他の基板とを接続する信号線上に設置され、通信方向を前記主基板から前記他の基板の方向に規制する通信方向規制手段（例えば、図２の中継基板１００Ｃ）を備え、前記他の基板は、主基板からの信号を受信する受信部（例えば、図２の受信インターフェース１１２）に、前記信号線のローレベルの状態を設定するための抵抗（例えば、図３の抵抗１１３）と、該抵抗の後段に設置され、前記信号線の電圧に応じて電力増幅すると共に、出力側から入力された電流を放電可能なバッファ（例えば、図３のバッファ１１５）と、容量素子（例えば、図３のコンデンサ１１６ｂ）を含み、ノイズを低減して前記バッファの出力信号を後段の内部回路に伝達するフィルタ（例えば、図３のフィルタ１１６）とを含み、前記主基板と前記他の基板とは、データの取り込みタイミングを指示するための割り込み信号線と、データを送信するためのデータ信号線とを含む複数の信号線によって接続され、前記複数の信号線のうち、前記割り込み信号線に対応する前記他の基板の受信部のみに、前記抵抗と、前記バッファと、前記フィルタとを備えることを特徴としている。
【００１０】
即ち、本発明に係る遊技機は、主基板と他の基板との間に、通信方向規制手段を備え、主基板と他の基板とは、データの取り込みタイミングを指示するための割り込み信号線と、データを送信するためのデータ信号線とを含む複数の信号線によって接続され、該パラレル信号線のうち、割り込み信号線に対応する他の基板の受信部のみに、制御信号のローレベルを設定するための抵抗、バッファ、フィルタを順に備えている。
このような構成により、通信方向規制手段を確認することで、不正改造に対する措置が講じられているか否かを容易に検査することができると共に、主基板の出力電流が過大となることを防止しつつ、主基板と他の基板との通信速度が従来より低下することを防ぐことができる。
また、他の基板における割り込み信号の受信部に、これら抵抗、バッファおよびフィルタを備えることで、信号の伝達の際に必要となる構成を用いて、上記効果を得ることができる。
【００１１】
即ち、本発明によれば、主基板から他の基板への信号の送信に影響を与えることなく、不正改造に関する遊技機の検査を容易とすることが可能となる。
なお、前記バッファは、トーテムポール出力形式のバッファＩＣによって構成することとしても良い。
また、前記バッファは、エミッタフォロワ型のトランジスタ回路によって構成することとしても良い。
また、前記バッファは、プッシュプル出力形式のトランジスタ回路によって構成することとしても良い。
【００１２】
さらに、前記主基板と前記他の基板とは、前記割り込み信号線と、所定並列数の前記データ信号線とを含むパラレル信号線によって接続され、該パラレル信号線のうち、前記割り込み信号線に対応する前記他の基板の受信部のみに、前記抵抗と、前記バッファと、前記フィルタとを備えることも可能である。
【００１３】
このように、主基板と他の基板とを接続するパラレル信号線のうち、全ての信号線でなく、信号の伝達の際にタイミング指示のために使用される割り込み信号線についてのみ、その受信部に、前記抵抗、バッファおよびフィルタを備え、かつ、割り込み信号が入力された時点でデータ信号線の読み取りにソフトウェアによるノイズ除去処理を施すことにより、全ての信号線に本発明を適用した場合と実質的に同様の効果が得られることとなり、低コストで本発明の効果を奏することが可能となる。
【００１４】
また、前記通信方向規制手段は、アノードを前記主基板側に接続され、カソードを前記他の基板側に接続されたダイオード（例えば、図３のダイオード３０）を備えることとしても良い。
このような構成により、通信方向規制手段が適切に備えられていることを容易に確認することができ、特に、電子回路に詳しくない者であっても、容易に遊技機の検査を行うことができる。
また、前記通信方向規制手段は、発光ダイオードを前記主基板側に接続され、フォトトランジスタを前記他の基板側に接続されたフォトカプラ（例えば、図８のフォトカプラ）を備えることとしても良い。
【発明の効果】
【００１５】
本発明によれば、通信方向規制手段を確認することで、不正改造に対する措置が講じられているか否かを容易に検査することができると共に、主基板の出力電流が過大となることを防止しつつ、主基板と他の基板との通信速度が従来より低下することを防ぐことができる。
即ち、本発明によれば、主基板から他の基板への信号の送信に影響を与えることなく、不正改造に関する遊技機の検査を容易とすることが可能となる。
【発明を実施するための最良の形態】
【００１６】
以下、図を参照して本発明の実施の形態を詳細に説明する。
図１は、本発明を適用したパチンコ機１の遊技盤面１０の概略構成を示す図である。なお、図１においては、説明に必要な部分を模式的に表すこととする。
図１において、不図示の発射機構から発射された遊技球は、ガイドレール１１に案内されて、遊技盤面１０内の上方に放出される。そして、遊技球は、風車１２〜１５および釘等に接触して移動方向を変化されながら、一部は、入賞口１６〜１８あるいは始動口１９に入る。一方、入賞口１６〜１８あるいは始動口１９に入らなかった遊技球は、遊技盤面１０下部に設けられたアウト口２１に入る。
【００１７】
また、入賞口１６〜１８に遊技球が入った場合、所定数の賞球が払い戻され、始動口１９に遊技球が入った場合、後述する図柄始動スイッチ１０１により遊技球の入賞が検出され、所定数の賞球が払い戻された上、大当たりの抽選が行われる。
さらに、始動口１９に遊技球が入った場合、後述する図柄表示装置２２が図柄の変動表示を開始し、大当たりの抽選結果に応じて各図柄を停止表示する。
そして、抽選結果が大当たりである場合、大入賞口２０が所定条件に従って開閉され、入賞した遊技球の数に応じて、所定数の賞球が払い戻される。
【００１８】
次に、パチンコ機１を制御する制御系統について説明する。
図２は、本発明を適用したパチンコ機１の制御系統を示すブロック図である。
図２において、パチンコ機１は、パチンコ機１全体を制御する主基板１００Ａと、主基板１００Ａからの指示信号に応じて、パチンコ機１に備えられた図柄表示装置２２や各種表示灯１０４あるいはスピーカ１０５等を直接制御するサブ基板１００Ｂと、主基板１００Ａとサブ基板１００Ｂとの間に設置された通信方向規制手段としての中継基板１００Ｃとを備えている。
【００１９】
この主基板１００Ａは、ＲＯＭ（Read Only Memory）１１０と、ＲＡＭ（Random Access Memory）１１１とを備えている。さらに、主基板１００Ａには、図柄始動スイッチ１０１と、カウントスイッチ１０２と、継続スイッチ１０３と、入賞口１６〜１８それぞれに備えられた入賞口スイッチ１６ａ〜１８ａと、大入賞口用ソレノイド１０６とが接続されている。
また、主基板１００Ａには、賞球装置１０７を制御する賞球制御基板１００Ｄが接続されているが、賞球制御基板１００Ｄを格納するケースには開封の痕跡が残るものを採用しているため、不正改造を発見し易いものとなっている。
【００２０】
さらに、この賞球制御基板１００Ｄには発射制御基板１００Ｅが接続されており、発射制御基板１００Ｅは、不図示のハンドルが操作されることに対応して遊技盤面１０内に遊技球を発射する発射装置１０８を制御している。また、賞球制御基板１００Ｄは、賞球装置１０７に供給される遊技球が不足したときは所定の賞球数を確保するために、発射装置１０８を停止させるための停止信号を発射制御基板１００Ｅに出力する。
サブ基板１００Ｂには、図柄表示装置２２と、各種表示灯１０４と、スピーカ１０５とが接続されている。
電源回路１０９は、外部電源からの電力を基に、パチンコ機１の各部に電力を供給する。
【００２１】
ここで、図柄始動スイッチ１０１は、始動口１９内部に設けられたセンサによって構成され、カウントスイッチ１０２は、大入賞口２０内部に設けられたセンサによって構成される。また、継続スイッチ１０３は、大入賞口２０内において、大当たりのラウンド継続用の入球領域に設けられたセンサによって構成され、入賞口スイッチ１６ａ〜１８ａは、入賞口１６〜１８内部に設けられたセンサによって構成されている。
さらに、サブ基板１００Ｂは、主基板１００Ａから送信された信号を受信する受信インターフェース１１２を備えている。
【００２２】
図３は、受信インターフェース１１２の内部構成を示す図である。
なお、図３においては、主基板１００Ａから中継基板１００Ｃを介してサブ基板１００Ｂに至る通信路全体を示している。また、図３に示すように、各基板間を接続する信号線は、コネクタによってそれぞれの基板に接続されている。
図３において、受信インターフェース１１２は、抵抗１１３，１１４と、バッファ１１５と、フィルタ１１６と、シュミット・トリガ回路１１７とを備えている。
【００２３】
抵抗１１３は、信号線のローレベル（Ｌレベル）を設定するために備えられる。即ち、抵抗１１３は、主基板１００Ａとサブ基板１００Ｂとを接続する信号線のインピーダンスを低下させている。そのため、抵抗１１３の抵抗値は、バッファ１１５の入力電圧として、ハイレベル（Ｈレベル）およびＬレベルが判定可能な範囲内において、より大きい抵抗値とすることが適当である。
抵抗１１４は、後述のバッファ１１５に入力するノイズを低減するために備えられる。したがって、抵抗１１４は、抵抗１１３の前段に備えることも可能であり、さらに、抵抗１１４に代えて、コイルあるいはフェライトビーズを用いることによっても、バッファ１１５に入力するノイズを低減することが可能である。
【００２４】
バッファ１１５は、主基板１００Ａから送信された信号を増幅し、電力駆動能力を上昇させる素子である。即ち、バッファ１１５は、主基板１００Ａから送信された信号がＨレベルである場合には、高いレベルの信号を出力し、主基板１００Ａから送信された信号がＬレベルである場合には、低いレベルの信号を出力する素子によって構成される。さらに、バッファ１１５は、主基板１００Ａから送信された信号がＬレベルの場合に、フィルタ１１６のコンデンサ１１６ｂ（後述）に蓄積された電荷を放電する放電路を形成する構成となっている。
【００２５】
したがって、バッファ１１５としては、実質的に図４に示すようなスイッチング機能を有する素子を用いることが可能であり、例えば、図５に示すように、トーテムポール出力形式のバッファＩＣ（Integrated Circuit）や、図６に示すように、ＦＥＴ（Field Effect Transistor）等のトランジスタを用いたエミッタフォロワ型増幅回路や、図７に示すように、ＦＥＴ等のトランジスタを用いたプッシュプル出力形式の増幅回路を採用することが可能である。
【００２６】
フィルタ１１６は、バッファ１１５の出力信号に含まれるノイズを低減してシュミット・トリガ回路１１７に出力する。具体的には、フィルタ１１６は、抵抗１１６ａとコンデンサ１１６ｂとによって構成されたローパスフィルタであり、バッファ１１５の出力に含まれる高周波成分（ノイズ）を低減する。バッファ１１５にＨレベルの信号が入力されると、フィルタ１１６に信号が入力され、コンデンサ１１６ｂには電荷が蓄積される。そして、バッファ１１５にＬレベル信号が入力されている際に、コンデンサ１１６ｂに蓄積された電荷はバッファ１１５を介して放電される。
【００２７】
なお、フィルタ１１６として上述のようにＲＣフィルタを用いる場合の他、ＬＣフィルタを用いることも可能であり、この場合にも、コンデンサに蓄積された電荷は、バッファ１１５を介して放電される。
シュミット・トリガ回路１１７は、フィルタ１１６の出力信号を波形整形し、チャタリングを解消した上で、信号をサブ基板１００Ｂの後段の回路に伝達する。
また、図３において、中継基板１００Ｃには、主基板１００Ａからサブ基板１００Ｂの方向にのみ信号が送信されるように（即ち、アノードを主基板１００Ａ側、カソードをサブ基板１００Ｂ側に）、ダイオード３０が備えられている。
【００２８】
このダイオード３０により、サブ基板１００Ｂから主基板１００Ａに信号が送信されることを制限できるため、パチンコ機１に対する不正行為が行われることを防止することができる。また、ダイオード３０を備える中継基板１００Ｃの存在を容易に確認できるため、パチンコ機１において不正改造に対する措置が講じられていることを容易に検査することができる。また、ダイオードであれば、電子回路に詳しくない者であっても容易に判別することができ、パチンコ機１の検査を容易に行うことが可能である。
図２に戻り、主基板１００Ａに備えられたＲＯＭ１１０には、パチンコ機１の制御に関する種々のプログラムが記憶されている。
【００２９】
次に、動作を説明する。
パチンコ機１の電源が投入されると、主基板１００ＡがＲＯＭ１１０に記憶されたプログラムを実行し、図柄表示装置２２、各種表示灯１０４あるいはスピーカ１０５といった各制御対象に対する制御信号を、中継基板１００Ｃを介してサブ基板１００Ｂに送信する。例えば、主基板１００Ａは、図柄始動スイッチ１０１から検出信号が入力されると、図柄表示装置２２において図柄を変動表示させる旨の指示信号を、信号線を介してサブ基板１００Ｂに送信する。すると、サブ基板１００Ｂは、主基板１００Ａから受信した指示信号に基づいて、図柄表示領域に所定パターンで図柄を変動表示させるように図柄表示装置２２を制御する。同様に、主基板１００Ａは、各種表示灯１０４を点灯させる旨の指示信号やスピーカから音声を発する旨の指示信号を、信号線を介してサブ基板１００Ｂに送信する。すると、サブ基板１００Ｂは、主基板１００Ａから受信した指示信号に基づいて、各種表示灯１０４を所定パターンで点灯させたり、スピーカ１０５から音楽や音声を発声させたりするように制御を行う。
【００３０】
ここで、主基板１００Ａとサブ基板１００Ｂとを接続する信号線には、ダイオード３０を備えた中継基板１００Ｃが設置されているため、主基板１００Ａからサブ基板１００Ｂの方向にのみ信号が伝達され、サブ基板１００Ｂから主基板１００Ａの方向には信号が伝達されないものとなっている。
主基板１００Ａからサブ基板１００Ｂへは、制御内容に応じてＨレベルの信号およびＬレベルの信号のいずれかが切り換えて送信される。このとき、Ｌレベル信号は、抵抗１１３の抵抗値によって低電位に設定されている。
【００３１】
主基板１００Ａから制御信号が送信されたサブ基板１００Ｂにおいては、まず、受信された信号が、受信インターフェース１１２の抵抗１１４を介してバッファ１１５に入力される。
そして、受信された信号がＨレベルである場合には、バッファ１１５が正方向の動作状態（フィルタ１１６側に電荷を出力する状態）となる。
すると、フィルタ１１６によって、バッファ１１５の出力信号のノイズが低減され、ノイズを低減された状態の制御信号が、後段のサブ基板１００Ｂのコントロール部に出力される。
【００３２】
また、サブ基板１００Ｂにおいて受信された信号がＬレベルである場合には、バッファ１１５が負方向の動作状態（フィルタ１１６から電荷が入力される状態）となる。
すると、フィルタ１１６のコンデンサ１１６ｂに蓄積されていた電荷がバッファ１１５の接地端子を介して放電される。
したがって、主基板１００Ａから送信された制御信号がＬレベルである間に、コンデンサ１１６ｂに蓄積されていた電荷が迅速に放電されため、主基板１００Ａからサブ基板１００Ｂに短時間間隔でパルス信号を送信することができる。
したがって、従来のパチンコ機に比べ、通信速度が低下することを防止することができる。
【００３３】
以上のように、本実施の形態におけるパチンコ機１は、主基板１００Ａとサブ基板１００Ｂとの間に、ダイオード３０を備えた中継基板１００Ｃを備え、サブ基板１００Ｂの受信インターフェース１１２に、制御信号のＬレベルを設定するための抵抗１１３、バッファ１１５、フィルタ１１６を順に備えている。
したがって、中継基板１００Ｃを確認することで、不正改造に対する措置が講じられているか否かを容易に検査することができると共に、主基板１００Ａの出力電流が過大となることを防止しつつ、主基板１００Ａとサブ基板１００Ｂとの通信速度が従来より低下することを防ぐことができる。
【００３４】
即ち、本実施の形態に係るパチンコ機１によれば、主基板１００Ａからサブ基板１００Ｂへの信号の送信に影響を与えることなく、不正改造に関するパチンコ機１の検査を容易とすることが可能となる。
なお、本実施の形態において、中継基板１００Ｃにはダイオード３０を備えることとして説明したが、通信方向を制限可能なものであれば、他の素子（例えばフォトカプラ等）を用いることも可能である。
【００３５】
図８は、ダイオード３０に代えて、フォトカプラを中継基板１００Ｃに備える場合の回路構成を示す図である。
図８のような構成とした場合にも、主基板１００Ａからサブ基板１００Ｂの方向にのみ信号が伝達され、サブ基板１００Ｂから主基板１００Ａの方向には信号が伝達されないものとなっている。
また、一般に主基板１００Ａとサブ基板１００Ｂとを接続する信号線は、所定並列数のデータ信号線と、データの取り込みタイミングを指示する割り込み信号線とからなるパラレル信号線となっている。
【００３６】
そこで、これら全ての信号線について、本実施の形態のように、受信インターフェース１１２に抵抗１１３、バッファ１１５、フィルタ１１６を備えることも可能である他、図９に示すように、これらの信号線のうち、割り込み信号線についてのみ、受信インターフェース１１２として、抵抗１１３、バッファ１１５、フィルタ１１６を備えることも可能である。なお、データ信号線におけるデータの読み取りには、ソフトウェアによるノイズ対策等を施すことが必要となる。
【００３７】
このような構成とすることにより、上記実施の形態と実質的に同様の効果を奏することが可能となる。即ち、割り込み信号線は主基板とサブ基板との通信にタイミング指示のために使用されることから、この割り込み信号線についてのみ、サブ基板１００Ｂの受信インターフェース１１２に抵抗１１３、バッファ１１５、フィルタ１１６を備え、かつ、割り込み信号が入力された時点でデータ信号線の読み取りに、ソフトウェアによるノイズ除去処理を施すことにより、主基板１００Ａからサブ基板１００Ｂへの信号の送信に影響を与えることなく、不正改造に関するパチンコ機１の検査を容易とすることが可能となる。そして、この場合、上記実施の形態に比べ、低コストにこのような効果を実現可能となる。
【００３８】
また、本実施の形態においては、主基板１００Ａとサブ基板１００Ｂとで通信を行うための信号線に本発明を適用する場合を例に挙げて説明したが、主基板１００Ａから一方向に信号を送信する信号線であれば、主基板１００Ａとサブ基板１００Ｂ以外の基板とで通信を行うための信号線（例えば、図２の主基板１００Ａから賞球制御基板１００Ｄに信号を送信するための信号線等）に、本発明を適用することとしても良い。
【図面の簡単な説明】
【００３９】
【図１】本発明を適用したパチンコ機１の遊技盤面１０の概略構成を示す図である。
【図２】本発明を適用したパチンコ機１の制御系統を示すブロック図である。
【図３】受信インターフェース１１２の内部構成を示す図である。
【図４】バッファ１１５のスイッチング機能を示す模式図である。
【図５】トーテムポール出力形式のバッファＩＣを示す図である。
【図６】ＦＥＴ等のトランジスタを用いたエミッタフォロワ型増幅回路を示す図である。
【図７】ＦＥＴ等のトランジスタを用いたプッシュプル出力形式の増幅回路を示す図である。
【図８】ダイオード３０に代えて、フォトカプラを中継基板１００Ｃに備える場合の回路構成を示す図である。
【図９】割り込み信号線の受信インターフェース１１２についてのみ抵抗１１３、バッファ１１５、フィルタ１１６を備える場合の例を示す図である。
【図１０】主基板とサブ基板とを接続する通信回路の一部を示す図である。
【図１１】遊技機の主基板とサブ基板との間に中継基板を設け、この中継基板にダイオード等の通信方向を規制する部品を備える場合の例を示す図である。
【符号の説明】
【００４０】
１  パチンコ機、１０  遊技盤面、１１  ガイドレール、１２〜１５  風車、１６〜１８  入賞口、１６ａ〜１８ａ  入賞口スイッチ、１９  始動口、２０  大入賞口、２１  アウト口、２２  図柄表示装置、３０  ダイオード、１００Ａ  主基板、１００Ｂ  サブ基板、１００Ｃ  中継基板、１００Ｄ  賞球制御基板、１００Ｅ  発射制御基板、１０１  図柄始動スイッチ、１０２  カウントスイッチ、１０３  継続スイッチ、１０４  各種表示灯、１０５  スピーカ、１０６  大入賞口用ソレノイド、１０７  賞球装置、１０８  発射装置、１０９  電源回路、１１０  ＲＯＭ、１１１  ＲＡＭ、１１２  受信インターフェース、１１３，１１４，１１６ａ  抵抗、１１５  バッファ、１１６  フィルタ、１１６ｂ  コンデンサ、１１７  シュミット・トリガ回路
【図１】
0004666949.tif 000002
【図２】
0004666949.tif 000003
【図３】
0004666949.tif 000004
【図４】
0004666949.tif 000005
【図５】
0004666949.tif 000006
【図６】
0004666949.tif 000007
【図７】
0004666949.tif 000008
【図８】
0004666949.tif 000009
【図９】
0004666949.tif 000010
【図１０】
0004666949.tif 000011
【図１１】
0004666949.tif 000012